(57)【要約】【課題】オートモードとローカルモード及び共用モードを設定可能としながら、特定グループのブラインドを対応する特定の操作スイッチでのみ操作可能とする電動ブラインドの制御装置を提供する。【解決手段】多数のブラインド３ａ〜３ｇを、操作スイッチ４ａ，１２であらかじめ設定されたグループ毎に操作可能とするローカルモードと、ブラインド３ａ〜３ｇを自動制御装置２で一括して制御可能とするオートモードと、ブラインド３ａ〜３ｇを操作スイッチ４ａ，１２及び自動制御装置２のいずれでも操作可能とする共用モードとを選択可能とした電動ブラインドの制御装置において、操作スイッチ１２には、ローカルモードを強制的に設定可能とする操作モード選択手段１１，１３を備えた。【選択図】図１
2007154580.tif 000002
【特許請求の範囲】
【請求項１】
多数のブラインドを、操作スイッチであらかじめ設定されたグループ毎に操作可能とするローカルモードと、前記ブラインドを自動制御装置で一括して制御可能とするオートモードと、前記ブラインドを前記操作スイッチ及び自動制御装置のいずれでも操作可能とする共用モードとを選択可能とした電動ブラインドの制御装置において、
前記操作スイッチには、前記ローカルモードを強制的に設定可能とする操作モード選択手段を備えたことを特徴とする電動ブラインドの制御装置。
【請求項２】
前記操作スイッチは、メイングループ内のブラインドを操作するメインスイッチと、前記メイングループ内に含まれるサブグループのブラインドを操作するサブスイッチとを備え、
前記操作モード選択手段は、
前記サブスイッチと前記サブグループのブラインドとの間に介在されるチルトユニットと、
前記サブスイッチに設けられたローカルモード設定手段と、
前記チルトユニットは、前記ローカルモード設定手段から出力されるローカルモード設定信号に基づいて、該サブスイッチからの指令信号でのみ前記サブグループのブラインドを制御可能とすることと
を備えたことを特徴とする請求項１記載の電動ブラインドの制御装置。
【請求項３】
前記サブスイッチには、ローカルモードと共用モードとを強制的に切り替える切替スイッチを前記ローカルモード設定手段として備えたことを特徴とする請求項２記載の電動ブラインドの制御装置。
【発明の詳細な説明】
【技術分野】
【０００１】
この発明は、電動ブラインドの制御装置に関するものである。
【背景技術】
【０００２】
従来、建物の複数のフロアにそれぞれ配設された電動ブラインドの昇降動作を一括して制御可能とした制御装置が実用化されている。このような電動ブラインドの制御装置では、中央制御装置からの指令に基づいて、すべてのブラインドを一括制御可能である。
【０００３】
また、各電動ブラインド毎に設けられた操作スイッチあるいは複数の電動ブラインドで構成される特定のグループ毎に設けられた操作スイッチで各ブラインドが制御される。
図６は、従来の電動ブラインドの制御装置の一例を示す。フロアユニット１ａ〜１ｄは建物の各フロアに設置され、同一のフロアに設置される多数のブラインドに接続される。また、各フロアユニット１ａ〜１ｄはパソコン２に接続され、パソコン（自動制御装置）２から出力される指令信号が各フロアユニット１ａ〜１ｄを介して該当するブラインドに出力され、その指令信号に基づいて各ブラインドの動作が制御される。
【０００４】
フロアユニット１ａには、例えば７台のブラインド３ａ〜３ｇが接続され各ブラインド３ａ〜３ｇを一括して操作可能とした第一の操作スイッチ４ａと、例えば会議室等に設置されたブラインド３ｅ〜３ｇのみを操作可能とした第二の操作スイッチ４ｂとが接続されている。
【０００５】
このような制御装置では、パソコン２からフロアユニット１ａを介して各ブラインド３ａ〜３ｇにオートモード信号が入力されると、各ブラインド３ａ〜３ｇは第一及び第二の操作スイッチ４ａ，４ｂからの指令信号を受け付けなくなる。従って、各ブラインド３ａ〜３ｇはパソコン２からの指令信号に基づいてのみ制御可能となる。
【０００６】
一方、パソコン２からフロアユニット１ａを介して各ブラインド３ａ〜３ｇにローカルモード信号が入力されると、各ブラインド３ａ〜３ｇはパソコン２からの指令信号を受け付けなくなる。従って、各ブラインド３ａ〜３ｄは第一の操作スイッチ４ａからの指令信号に基づいてのみ制御可能となり、各ブラインド３ｅ〜３ｇは第一の操作スイッチ４ａあるいは第二の操作スイッチ４ｂの操作により制御可能となる。
【０００７】
また、パソコン２からフロアユニット１ａを介して各ブラインド３ａ〜３ｇに共用モード信号が入力されると、各ブラインド３ａ〜３ｇはパソコン２あるいは第一及び第二の操作スイッチ４ａ，４ｂの指令信号のいずれでも制御可能となる。
【０００８】
図７は、ブラインド３ｄ，３ｅ間の配線に信号変換器５を介在させたものである。信号変換器５は、第一の操作スイッチ４ａの指令信号をブラインド３ｅ〜３ｇに供給するか否かを選択する機能を備えたものであり、切替スイッチの操作により選択可能である。
【０００９】
そして、信号変換器５をオフ状態とすれば、第一の操作スイッチ４ａあるいはパソコン２の指令信号はブラインド３ｅ〜３ｇには供給されない。
従って、信号変換器５をオン状態とすれば、第一の操作スイッチ４ａによるブラインド３ａ〜３ｇの操作と、パソコン２によるブラインド３ａ〜３ｇの操作と、第二の操作スイッチ４ｂによるブラインド３ｅ〜３ｇの操作が可能となる。また、信号変換器５をオフ状態とすれば、ブラインド３ｅ〜３ｇは第二の操作スイッチ４ｂでのみ操作可能となる。
【００１０】
図８は、ブラインド３ｈ〜３ｊと信号変換器６がさらに追加され、ブラインド３ｈ〜３ｊを操作するための第三の操作スイッチ４ｃを備えたものである。信号変換器６をオフ状態とすれば、第三の操作スイッチ４ｃの指令信号はブラインド３ｅ〜３ｇに供給されない。
【００１１】
特許文献１には、上記のような電動ブラインドの制御装置に類似する構成が開示されている。
【特許文献１】特開２００４−２８５６０４号公報
【発明の開示】
【発明が解決しようとする課題】
【００１２】
図６に示す制御装置において、オートモードが設定されると、会議室に設置されたブラインド３ｅ〜３ｇを第二の操作スイッチ４ｂで操作することはできず、パソコン２からの指令信号に基づいてのみ制御可能である。
【００１３】
また、ローカルモードが設定されると、ブラインド３ｅ〜３ｇは第一及び第二の操作スイッチ４ａ，４ｂのいずれでも操作可能である。共用モードでは、パソコン２、第一及び第二の操作スイッチ４ａ，４ｂのいずれでも操作可能である。
【００１４】
従って、オートモード、ローカルモード及び共用モードのいずれにおいても、会議室内の第二の操作スイッチ４ｂでのみブラインド３ｅ〜３ｇを制御可能とする状態を選択することはできず、会議室の使用時にブラインド３ｅ〜３ｇが会議室外から不用意に操作されてしまうことがある。
【００１５】
図７及び図８に示す制御装置では、信号変換器５，６をオフ状態とすれば、ブラインド３ｅ〜３ｇを第二の操作スイッチ４ｂでのみ操作可能とすることはできる。しかし、信号変換器５は通常天井裏やカーテンボックス内に設置されるため、その切り替え操作が煩雑である。
【００１６】
この発明の目的は、オートモードとローカルモード及び共用モードを設定可能としながら、特定グループのブラインドを対応する特定の操作スイッチでのみ操作可能とする電動ブラインドの制御装置を提供することにある。
【課題を解決するための手段】
【００１７】
請求項１では、多数のブラインドを、操作スイッチであらかじめ設定されたグループ毎に操作可能とするローカルモードと、前記ブラインドを自動制御装置で一括して制御可能とするオートモードと、前記ブラインドを前記操作スイッチ及び自動制御装置のいずれでも操作可能とする共用モードとを選択可能とした電動ブラインドの制御装置において、
前記操作スイッチには、前記ローカルモードを強制的に設定可能とする操作モード選択手段を備えた。
【００１８】
請求項２では、前記操作スイッチは、メイングループ内のブラインドを操作するメインスイッチと、前記メイングループ内に含まれるサブグループのブラインドを操作するサブスイッチとを備え、前記操作モード選択手段は、前記サブスイッチと前記サブグループのブラインドとの間に介在されるチルトユニットと、前記サブスイッチに設けられたローカルモード設定手段と、前記チルトユニットは、前記ローカルモード設定手段から出力されるローカルモード設定信号に基づいて、該サブスイッチからの指令信号でのみ前記サブグループのブラインドを制御可能とすることとを備えた。
【００１９】
請求項３では、前記サブスイッチには、ローカルモードと共用モードとを強制的に切り替える切替スイッチを前記ローカルモード設定手段として備えた。
【発明の効果】
【００２０】
本発明によれば、オートモードとローカルモード及び共用モードを設定可能としながら、特定グループのブラインドを対応する特定の操作スイッチでのみ操作可能とする電動ブラインドの制御装置を提供することができる。
【発明を実施するための最良の形態】
【００２１】
（第一の実施の形態）
以下、この発明を具体化した一実施の形態を図面に従って説明する。前記従来例と同一構成部分は、同一符号を付して説明する。
【００２２】
図１に示す電動ブラインドの制御装置は、図５に示す従来例のブラインド３ｄ，３ｅ間にチルトユニット１１を介在させ、そのチルトユニット１１にサブグループとしてのブラインド３ｅ〜３ｇを操作するための第三の操作スイッチ（サブスイッチ）１２が接続されている。メイングループとなるブラインド３ａ〜３ｇを操作するための第一の操作スイッチ（メインスイッチ）４ａは、前記従来例と同様である。
【００２３】
前記第三の操作スイッチ１２には、共用モードとローカルモードを切り替えるための切替スイッチ１３が設けられている。
前記チルトユニット１１の構成を図２に従って説明する。前記パソコン２からフロアユニット１ａを介して入力される指令信号は、第一の指令信号入出力部１４を介してマイコン１６に入力される。
【００２４】
前記第三の操作スイッチ１２から入力される指令信号は、第二の指令信号入出力部１５を介してマイコン１６に入力される。
前記マイコン１６には、チルトユニット１１により制御するブラインドの範囲を設定する第一及び第二の設定スイッチ１７ａ，１７ｂが接続される。第一の設定スイッチ１７ａには制御するブラインドの番号の最小値を設定可能であり、第二の設定スイッチ１７ｂには制御するブラインドの番号の最大値を設定可能である。この実施の形態では、第一の設定スイッチ１７ａにブラインド３ｅの番号が設定され、第二の設定スイッチ１７ｂにブラインド３ｇの番号が設定されて、チルトユニット１１によりブラインド３ｅ〜３ｇを制御するようになっている。
【００２５】
前記マイコン１６にはＥＥＰＲＯＭ１８が接続されている。ＥＥＰＲＯＭ１８にはマイコンを制御するためのプログラムが格納されている。
次に、前記チルトユニット１１の動作を図３及び図４に従って説明する。チルトユニット１１はその動作の開始に基づいて、パソコン２あるいは第三の操作スイッチ１２からの指令信号を待つ状態となる（ステップ１，２）。
【００２６】
この状態で、第三の操作スイッチ１２から共用モードとローカルモードを切り替える切替信号が入力される。そして、その切替信号がローカルモードを設定するローカル指令信号である場合には（ステップ３，４）、ステップ５に移行して、そのローカル指令信号をオート指令信号に変換し、そのオート指令信号を各ブラインド３ｅ〜３ｇに出力する（ステップ５，６）。
【００２７】
第三の操作スイッチ１２からブラインド３ｅ〜３ｇの少なくともいずれかの操作指令信号が入力されると（ステップ７，８）、チルトユニット１１はその操作指令信号をスラットの昇降操作、角度調節操作あるいはそれらの停止操作を行うための強制指令信号として、ブラインド３ｅ〜３ｇのうち該当するブラインドに送信する（ステップ９）。そして、ステップ１に復帰する。
【００２８】
このような動作により、ブラインド３ｅ〜３ｇは第一の操作スイッチ４ａからの指令信号を受け付けない状態となり、第三の操作スイッチ１２からの操作指令信号に基づいてのみ動作する状態となる。
【００２９】
ステップ７において、所定時間内に第三の操作スイッチ１２から操作指令信号が入力されない場合には、ステップ１に復帰する。また、ステップ８において、第三の操作スイッチ１２から共用モードとローカルモードを切り替える切替信号が入力された場合には、ステップ４に復帰する。
【００３０】
ステップ４において、共用モードを設定する共用指令信号が入力された場合には、チルトユニット１１は強制指令信号をブラインド３ｅ〜３ｇに出力して、ブラインド３ｅ〜３ｇを共用モードとし（ステップ１０）、ステップ１に復帰する。この状態では、ブラインド３ｅ〜３ｇは第一及び第三の操作スイッチ４ａ，１２のいずれからでも操作可能となる。
【００３１】
ステップ３において、第三の操作スイッチ１２から通常の操作指令信号が入力されると、チルトユニット１１は共用モードが設定されている場合には、その操作指令信号をスラットの昇降操作、角度調節操作あるいはそれらの停止操作を行うための通常指令信号として、ブラインド３ｅ〜３ｇのうち該当するブラインドに送信する（ステップ１１，１２）。そして、ステップ１に復帰する。
【００３２】
また、すでにローカルモードが設定されている場合には、その操作指令信号をスラットの昇降操作、角度調節操作あるいはそれらの停止操作を行うための強制指令信号として、ブラインド３ｅ〜３ｇのうち該当するブラインドに送信し（ステップ１１，１３）、ステップ１に復帰する。
【００３３】
ステップ１において、パソコン２からオート指令信号が入力されると、チルトユニット１１は切替スイッチ１３による強制モードを解除して通常モードを設定し（ステップ１４）、第三の操作スイッチ１２及びブラインド３ｅ〜３ｇにオートモードを設定する指令信号を出力する（ステップ１５，１６）。
【００３４】
この状態で、第三の操作スイッチ１２の操作により共用モードが設定されると（ステップ１７，１８）、チルトユニット１１はブラインド３ｅ〜３ｇに共用モードを設定する指令信号を出力し（ステップ１９）、ステップ１に復帰する。この状態では、ブラインド３ｅ〜３ｇはパソコン２、第一及び第三の操作スイッチ４ａ，１２のいずれでも操作可能となる。ステップ１８において、共用モードを設定する指令信号ではない場合には、ステップ１７に復帰する。
【００３５】
また、ステップ１７において、第三の操作スイッチ１２が操作されない場合には、ブラインド３ｅ〜３ｇはパソコン２からの指令信号のみを受け付ける状態となり、パソコン２から入力される指令信号に基づいて、スラットの昇降操作、角度調節操作あるいはそれらの停止操作を行う（ステップ２０）。
【００３６】
上記のようなチルトユニット１１の機能の概要は、図４に示すとおりである。第三の操作スイッチ１２からローカル指令信号を受信すると（ステップ２１）、そのローカル指令信号をオート指令信号に変換し（ステップ２２）、対象となるブラインド３ｅ〜３ｇに出力する（ステップ２３）。この状態では、ブラインド３ｅ〜３ｇは第一の操作スイッチ４ａからの指令信号を受け付けない。
【００３７】
次いで、第三の操作スイッチ１２からブラインド３ｅ〜３ｇを操作するための指令信号が入力されると（ステップ２４）、その指令信号を強制指令信号に変換し（ステップ２５）、該当するブラインドに出力する（ステップ２６）。従って、第三の操作スイッチ１２の操作により、ブラインド３ｅ〜３ｇを操作可能となる。
【００３８】
次いで、第三の操作スイッチ１２から共用指令信号が入力されると（ステップ２７）、その共用指令信号を強制指令信号に変換し（ステップ２８）、対象となるブラインド３ｅ〜３ｇに出力する（ステップ２９）。この状態では、ブラインド３ｅ〜３ｇはパソコン２、第一及び第三の操作スイッチ４ａ，１２からの指令信号を受け付ける。
【００３９】
上記のように構成された電動ブラインドの制御装置では、次に示す作用効果を得ることができる。
（１）パソコン２及び第三の操作スイッチ１２の動作により、ローカルモードと共用モードとオートモードとのいずれかを選択することができる。
（２）パソコン２からのオート指令信号に基づいて、オートモードを選択することができる。そして、オートモードではパソコン２から出力される指令信号に基づいて各ブラインド３ａ〜３ｇの動作を制御することができる。
（３）第三の操作スイッチ１２の切替スイッチ１３によりブラインド３ｅ〜３ｇに共用モードを強制的に設定することができる。そして、共用モードの設定により、ブラインド３ａ〜３ｇは第一の操作スイッチ４ａで操作可能であり、ブラインド３ｅ〜３ｇは第三の操作スイッチ１２でも操作可能であり、かつパソコン２により操作可能である。
（４）第三の操作スイッチ１２の切替スイッチ１３によりブラインド３ｅ〜３ｇにローカルモードを強制的に設定することができる。そして、ローカルモードの設定により、ブラインド３ｅ〜３ｇを第三の操作スイッチ１２で操作することができる。
（５）ブラインド３ａ〜３ｇがいずれのモードであっても、切替スイッチ１３でローカルモードを選択すれば、ブラインド３ｅ〜３ｇを第三の操作スイッチ１２で操作することができる。
（６）ブラインド３ｅ〜３ｇ及び第三の操作スイッチ１２が会議室等に設置されている場合には、切替スイッチ１３でローカルモードを選択すれば、ブラインド３ｅ〜３ｇを会議室内で確実に操作することができる。
【００４０】
上記実施の形態は、以下の態様で実施してもよい。
・チルトユニット１１と第三の操作スイッチ１２とを一体化させてもよい。
【図面の簡単な説明】
【００４１】
【図１】一実施の形態を示す接続図である。
【図２】チルトユニットの電気的構成を示すブロック図である。
【図３】チルトユニットの動作を示すフローチャートである。
【図４】チルトユニットの動作を示すフローチャートである。
【図５】チルトユニットの動作を示すフローチャートである。
【図６】従来例を示す接続図である。
【図７】従来例を示す接続図である。
【図８】従来例を示す接続図である。
【符号の説明】
【００４２】
２…自動制御装置（パソコン）、３ａ〜３ｇ…ブラインド、４ａ，１２…操作スイッチ、１１…操作モード選択手段（チルトユニット）、１３…操作モード選択手段（切替スイッチ）。
【図１】
2007154580.tif 000003
【図２】
2007154580.tif 000004
【図３】
2007154580.tif 000005
【図４】
2007154580.tif 000006
【図５】
2007154580.tif 000007
【図６】
2007154580.tif 000008
【図７】
2007154580.tif 000009
【図８】
2007154580.tif 000010